(57)【要約】【課題】少量の次亜塩素酸水を用いて、短時間で室内の隅々迄除菌及び消臭を行なうことができるような室内除菌脱臭装置を提供する。【解決手段】エアーシャワー室１の天井部１ａに沿って送気管２ａを配設し、該送気管２ａに該送気管２ａから該エアーシャワー室１内へ向かって下向きに気体を噴射する噴出管２ｂを複数個設けると共に、前記送気管２ａ内を圧縮空気と次亜塩素酸水のミストとが混合して流れるように形成し、該混合気体が前記噴出管２ｂの開口から噴出するように形成した。【選択図】図１
2012100718.tif 000002
【特許請求の範囲】
【請求項１】
エアーシャワー室の天井部に沿って送気管を配設し、該送気管に、該送気管から該エアーシャワー室内へ向かって下向きに気体を噴出する噴出管を複数個設けると共に、前記の送気管内を圧縮空気と次亜塩素酸水のミストとが混合して流れるように形成し、該混合気体が前記噴出管の開口から噴出するように形成した室内除菌脱臭装置。
【請求項２】
前記送気管に圧縮空気の第１供給管と次亜塩素酸水のミストの第２供給管とを接続すると共に、該送気管内に、これら圧縮空気と次亜塩素酸水のミストとを混合して均質な混合気となるように形成する乱流発生手段を設けた請求項１に記載の室内除菌脱臭装置。
【請求項３】
エアーシャワー室の天井部に沿って送気管を配設すると共に該送気管に隣接して次亜塩素酸水のミストの第３供給管を該送気管と互いに平行となるように配設し、該送気管に、該送気管から前記エアーシャワー室内へ向けて圧縮空気を下向きに噴出する第１噴出管を複数個設けると共に前記第３供給管に、次亜塩素酸水のミストを噴出する第２噴出管を複数個設け、これら第２噴出管から噴出される次亜塩素酸水のミストが、前記第１噴出管から噴出される空気流に向かって噴出されるように、前記各第１噴出管と前記各第２噴出管とが互いに隣接して設けられている室内除菌脱臭装置。
【発明の詳細な説明】
【技術分野】
【０００１】
本発明は殺菌・脱臭効果の優れた次亜塩素酸水を用いて室内の除菌・脱臭を行なうための装置に関する。
【背景技術】
【０００２】
次亜塩素酸水（次亜塩素酸含有水溶液）は殺菌作用や脱臭作用を有する液体であり、人畜には無害なので、次亜塩素酸水を直接指に吹き付けて手の消毒をしたりする。
【０００３】
又、次亜塩素酸水溶液に超音波振動子を作用させて次亜塩素酸水溶液の微粒子を発生させて、これを噴霧口から噴出させると共に、該噴霧口の直下に設けた噴射口から搬送流体を噴射して、室内の広範囲の空気の殺菌および除菌を行なうようにした殺菌装置が知られている（例えば特許文献１参照。）。
【先行技術文献】
【特許文献】
【０００４】
【特許文献１】特開２００３−１６９８４２号公報
【発明の概要】
【発明が解決しようとする課題】
【０００５】
少量の次亜塩素酸水を用いて、短時間で室内の隅々迄の除菌及び消臭を行なう必要があった。
【０００６】
このニーズに対して、前記特許文献１の技術では不充分であり、広い室内の全域にまでなかなか次亜塩素酸水のミストが行き渡らず、特に室内に障害物が置いてある場合には、次亜塩素酸水のミストの行き渡らない場所が生ずるという問題があった。
【０００７】
本発明は前記の問題点を解消し、短時間に且つ効率良く次亜塩素酸水のミストにより除菌した空気を室内に拡散させて室内の除菌・脱臭を行なうための装置を提供することを目的とする。
【課題を解決するための手段】
【０００８】
本発明は上記の目的を達成すべく、エアーシャワー室の天井部に沿って送気管を配設し、該送気管に、該送気管から該エアーシャワー室内へ向かって下向きに気体を噴出する噴出管を複数個設けると共に、前記の送気管内を圧縮空気と次亜塩素酸水のミストとが混合して流れるように形成し、該混合気体が前記噴出管の開口から噴出するように形成した。
【発明の効果】
【０００９】
本発明によれば、広い部屋や長い部屋及び室内に障害物が置いてある部屋でもその全体を隈なく均一に効率よく除菌・脱臭する室内除菌・脱臭装置を提供できる効果を有する。
【図面の簡単な説明】
【００１０】
【図１】本発明の実施例１の室内除菌・脱臭装置を具備したエアーシャワー室の説明図である。
【図２】前記実施例１における次亜塩素酸水のミストの供給装置の説明図である。
【図３】本発明の実施例２の室内除菌・脱臭装置を具備したエアーシャワー室の説明図である。
【発明を実施するための形態】
【００１１】
本発明を実施するための形態の実施例を以下に示す。
【実施例１】
【００１２】
本発明の室内除菌脱臭装置の実施例１を図１により説明する。
【００１３】
１が除菌・脱臭を行なうエアーシャワー室、２は該エアーシャワー室１に設けた室内除菌脱臭装置を示す。
【００１４】
該室内除菌脱臭装置２は送気管２ａ、噴出管２ｂ、圧縮空気の第１供給管２ｃ、次亜塩素酸水ミストの第２供給管２ｄからなる。
【００１５】
前記送気管２ａは、前記エアーシャワー室１の天井板１ａの上部に、該エアーシャワー室１の形状に合わせて直線状、コの字状、放射線状或いは格子状等の形状に配設されている。
【００１６】
即ち、細長い廊下状のエアーシャワー室に対しては該エアーシャワー室１に沿ってＩ字状の送気管２ａが適合し、又、床面積の広いエアーシャワー室に対しては、コ字状、Ｓ字状、放射線或いは格子状等の形状の送気管２ａとしてもよい。
【００１７】
又、前記噴出管２ｂは、所定の間隔で前記送気管２ａから分岐して下方に突出され、その噴出管２ｂは前記エアーシャワー室１の天井板１ａを貫通して下方に突出し、該噴出管２ｂの下端は該室１内に開口している。
【００１８】
尚、これら噴出管２ｂの配置は、その下端開口から噴出する混合気が、エアーシャワー室１内に隈なく均一に降り注ぐように配置されることが望ましい。
【００１９】
又、前記送気管２ａの流れに直角な断面の面積は、前記エアーシャワー室１内に開口する全ての噴出管２ｂの下端開口の面積の合計よりも大となるようにしている。
【００２０】
前記送気管２ａの根部２ａ１には前記第１供給管２ｃが接続しており、該第１供給管２ｃはファン又はエアーポンプ等のエアー供給源に接続している。矢印Ａは該エアー供給源からのエアー供給の方向を示す。
【００２１】
前記送気管２ａの根部２ａ１には前記第２供給管２ｄが貫通接続しており、該第２供給管２ｄの先端部２ｅは、前記送気管２ａの中心部において、前記第１供給管２ｃ内の空気の流れの下流方向に向かって次亜塩素酸水のミストを噴射するように形成されている。
【００２２】
該第２供給管２ｄの根部はミスト供給装置７に接続されている。
【００２３】
該ミスト供給装置７は次亜塩素酸水のミストと搬送用のエアーとが混合した状態で、やや濃度の高い混合気として次亜塩素酸水のミストを送り出している。
【００２４】
図２に該ミスト供給装置７の説明図を示す。
【００２５】
７ａは次亜塩素酸水のタンクを示し、該タンク７ａ内には次亜塩素酸水７ａ１にミストを発生させるための超音波振動子７ｂが設置されている。
【００２６】
該タンク７ａの上部は圧縮空気を用いたエジェクター７ｃに接続している。
【００２７】
矢印Ｂは前記圧縮空気の流れの方向を示す。
【００２８】
エジェクター７ｃはノズル部７ｃ１からディフューザ部７ｃ２に向かって高速気流を噴射させ、該ノズル部７ｃ１をディフューザ部７ｃ２の間に負圧を生じさせて、前記タンク７ａ内の次亜塩素酸水７ａ１のミストをここから吸引する。
【００２９】
かくて次亜塩素酸水のミストを空気との混合気がディフューザ部７ｃ２から前記第２供給管２ｄへと供給される。
【００３０】
本実施例では、次亜塩素酸水のミストと空気との混合気を前記第２供給管２ｄの先端部２ｅから噴出して前記第１供給管２ｃから供給される空気と混合させるので、散布する次亜塩素酸水量と全噴出空気量との割合を自在に調節することができて、便利である。
【００３１】
しかし、前記第２供給管２ｄからのミストと前記第１供給管２ｃからのエアーとを、送気管２ａ内で均一となるように混合する必要がある。
【００３２】
図１において、２ｆは前記送気管２ａ内の気体の流れを乱すために設けた乱流発生手段であり、該乱流発生手段２ｆは前記第２供給管２ｄの先端部２ｅの下流側で前記送気管２ａの内面に固定した複数の半円形の板状体からなる。
【００３３】
この乱流発生手段２ｆの作用によって、前記送気管２ａ内を流れる気体は乱流となり、前記次亜塩素酸水のミストと圧縮空気との混合が進んで、均質な混合気が前記送気管２ａ内を流れるようになる。
【００３４】
かくて、本実施例の除菌脱臭装置を作動させるときは、第１供給管２ｃから送気管２ａに圧縮空気を送り込むと共に第２供給管２ｄから送気管２ａに次亜塩素酸水のミストを供給し、両者の混合した混合気体を多数の噴出管２ｂの下端開口からエアーシャワー室１内に吹き降ろすので、天井からの吹き降ろしにより、該エアーシャワー室１内には混合気が短時間に均一に行きわたり、該エアーシャワー室１内の除菌と消臭を行なうことができる効果を有している。
【００３５】
尚、本実施例では送気管２ａをエアーシャワー室１の天井板１ａの上部に配設するとしたが、これは天井板１ａの下側のエアーシャワー室１の上方部となる位置に配設するようにしてもよい。
【００３６】
又、ミスト供給装置７は超音波振動子７ｂとエジェクター７ｃ等からなるものとしたが、これらの代りに次亜塩素酸水を高圧にて前記送気管２ａ内に噴霧して次亜塩素酸水のミストとの混合気を作るようにしてもよい。
【００３７】
更に又、前記乱流発生手段２ｆを半円形の板状体からなるとしたが、これは中心部に丸孔又は多角形の孔を有するオリフィス状の板状体からなるものとしてもよい。
【実施例２】
【００３８】
本発明の室内除菌脱臭装置の実施例２を図３により説明する。
【００３９】
本実施例の室内除菌脱臭装置２１は、エアーシャワー室４の天井部４ａに沿って送気管５と次亜塩素酸水のミストの供給管即ち第３供給管６とを互いに平行となるように配設し、前記送気管５から前記エアーシャワー室１内へ向けて下向きに圧縮空気を噴出する第１噴出管５ａを複数個設けると共に、前記第３供給管６に、次亜塩素酸水のミストを噴出する第２噴出管６ａを複数個設けている。
【００４０】
そして、前記第２噴出管６ａの先端開口から噴出される次亜塩素酸水のミストが前記第１噴出管５ａ先端開口から噴出される空気に向かって噴出されるように、前記第１噴出管５ａと前記第２噴出管６ａとを互いに隣接して配設すると共に、前記第２噴出管６ａの先端開口の向きを前記第１噴出管５ａの先端開口の少許下方へ向けて傾斜させて設けている。
【００４１】
従って、前記第２噴出管６ａから吹き出される次亜塩素酸水のミストは、前記第１噴出管５ａから吹き出されるエアーとよく混合するようになる。
【００４２】
ここで前記第３供給管６に次亜塩素酸水のミストを供給するミスト供給装置は、前記第１実施例におけるミスト供給装置７と同様の構造のものであってもよい。
【産業上の利用可能性】
【００４３】
本発明の次亜塩素酸水を用いた室内除菌脱臭装置は、クリーンルームの出入口に設置されるエアーシャワー室に用いられるほか、倉庫等の貯蔵施設をエアーシャワー室としたり、又はエレベーターや上部にカバーをしたエスカレータールーム等で、人及び物の表面の細菌の殺菌及び臭いを除去減少させるのに用いられる。
【符号の説明】
【００４４】
１、４      エアーシャワー室
２、２１    室内除菌脱臭装置
２ａ、５    送気管
２ｂ        噴出管
２ｃ        第１供給管
２ｄ        第２供給管
２ｆ        乱流発生手段
５ａ        第１噴出管
６          第３供給管
６ａ        第２噴出管
【図１】
2012100718.tif 000003
【図２】
2012100718.tif 000004
【図３】
2012100718.tif 000005